(57)【要約】【課題】非常に多くの競争者等が参加しても問題なく計時ができる計時用検出装置を提供する。【解決手段】計時用検出装置１００は、ゴール２０１を複数の移動体が通過することを検出する。計時用検出装置１００は、複数の移動体の各々が保持し、所定のトリガ信号に応答して、それぞれが異なる固有の識別番号を出力可能なＩＤタグ４０と、ゴール２０１の近傍に設けられ、所定のトリガ信号を発信するトリガ発信アンテナ１２、２２と、トリガ信号に応答してＩＤタグ４０の出力した識別番号を受信するＩＤ受信アンテナ１３とを含み、ＩＤタグ４０は複数の異なる周波数で固有番号を出力し、ＩＤ受信アンテナ１３は異なる複数の周波数の信号を受信する。【選択図】　　　　図１
2004057805.tif 000002
【特許請求の範囲】
【請求項１】
所定の位置を複数の移動体が通過する際に、個々の移動体が前記所定の位置を通過したことを検出する集団レースの計時用検出装置であって、
前記複数の移動体の各々が保持し、所定のトリガ信号に応答して、それぞれが異なる固有の識別番号を出力可能な固有番号出力手段と、
前記所定の位置の近傍に設けられ、前記所定のトリガ信号を発信するトリガ信号発信手段と、
前記トリガ信号に応答して前記固有番号出力手段の出力した識別番号を受信する受信手段とを含み、
前記固有番号出力手段は複数の異なる周波数のいずれかで前記識別番号を出力し、前記受信手段は前記異なる複数の周波数の信号を受信する、計時用検出装置。
【請求項２】
前記固有番号発信手段は前記識別番号を間欠的に複数回発信する、請求項１に記載の計時用検出装置。
【請求項３】
前記受信手段はさらに標準電波を受けて時刻情報を出力する手段を有し、前記固有番号出力手段から受信した識別番号とともに受信時の時刻情報を記録する、請求項１に記載の計時用検出装置。
【請求項４】
所定の位置を複数の移動体が通過する際に、個々の移動体が前記所定の位置を通過したことを検出する集団レースの計時用検出装置であって、
前記複数の移動体の各々が保持し、所定のトリガ信号に応答して、それぞれが異なる固有の識別番号を出力可能な固有番号出力手段と、
前記所定の位置の近傍に設けられ、前記所定のトリガ信号を発信するトリガ信号発信手段と、
前記トリガ信号に応答して前記固有番号出力手段の出力した識別番号を受信する受信手段とを含み、
前記固有番号出力手段は前記識別番号の発信後、その発信を休止する、計時用検出装置。
【請求項５】
複数の参加者がスタート地点からスタートし、ゴールを通過するまでの時間を計測する集団レースの計測装置であって、
前記複数の参加者の各々は、所定のトリガ信号に応答して、それぞれが異なる固有の識別番号を出力可能な固有番号タグを保持し、
前記スタート地点に設けられ、前記固有番号タグを保持した参加者のスタート時にそのスタート時間を発信するスタート時間発信手段を含み、
前記固有番号タグは前記スタート時間発信手段の発信した前記スタート時間を受信するとともに記憶し、
前記ゴール地点の近傍に設けられ、前記所定のトリガ信号を発信するトリガ信号発信手段と、
前記トリガ信号に応答して前記固有番号タグは、前記固有の識別番号とともに前記記憶したスタート時間を出力し、
前記固有番号タグの出力した前記固有の識別番号および前記スタート時間を受信する受信手段とを含む、計測装置。
【請求項６】
前記スタート時間発信手段は標準電波を受けて時刻情報を出力する手段を有し、前記時刻情報をスタート時間として発信する、請求項５に記載の計時用検出装置。
【請求項７】
複数の参加者がスタート地点からスタートし、ゴールを通過するまでの時間を計測する集団レースの計測方法であって、
送受信機能とメモリを有するタグを準備するステップと、
前記スタート地点において所定のトリガ信号をタグで受信するステップと、
受信したスタート時間をタグに記録するステップと、
前記ゴール地点で、所定のトリガ信号を受信するステップと、
ゴール地点における前記所定のトリガ信号に応答して、記憶したスタート時間とともに前記タグの有する固有番号を出力するステップと、
ゴール地点において、前記タグの出力したスタート時間と固有番号とを受信するステップとを含む、計測方法。
【発明の詳細な説明】
【０００１】
【発明の属する技術分野】
この発明はマラソン、自転車などの集団レースの計時用検出装置、計測装置および計測方法に関し、特に参加者が多い場合においても問題なく計時が可能な計時用検出装置、計測装置および計測方法に関する。
【０００２】
【従来の技術】
この発明に興味のある集団レースにおける計時装置がたとえば特開平８−５７１０４号公報に開示されている。同公報によれば、多数の競争者が参加する場合には、同時に多数の競争者がゴールラインに入線することがあり、この場合には、個々の競争者が発信する固有番号信号が重なり合って、その識別を行なえないこともある。このため、固有番号を発信する際に、複数回の固有番号を発信するという工夫がなされていた。
【０００３】
【発明が解決しようとする課題】
従来の多数の競争者が参加するレース等においては、固有番号信号を複数回出力することによってたとえ信号が重なり合っても問題なくゴールラインに入線しても識別を行なっていた。
【０００４】
しかしながら、さらに競争者が増加した場合には、そのように複数回固有番号を発信しても検出できない場合が存在し得る。
【０００５】
この発明は上記のような問題点を解消するためになされたもので、非常に多くの競争者等が参加しても問題なく計時ができる計時用検出装置、計測装置およびその方法を提供することを目的とする。
【０００６】
【課題を解決するための手段】
この発明にかかる、所定の位置を複数の移動体が通過する際に、個々の移動体が前記所定の位置を通過したことを検出する集団レースの計時用検出装置は、複数の移動体の各々が保持し、所定のトリガ信号に応答して、それぞれが異なる固有の識別番号を出力可能な固有番号出力手段と、所定の位置の近傍に設けられ、所定のトリガ信号を発信するトリガ信号発信手段と、トリガ信号に応答して固有番号出力手段の出力した識別番号を受信する受信手段とを含み、固有番号出力手段は複数の異なる周波数のいずれかで識別番号を出力し、受信手段は異なる複数の周波数の信号を受信する。
【０００７】
個々の移動体が保持する固有番号出力手段は複数の異なる周波数で識別番号を出力し、それらの異なる複数の周波数の信号を受信手段が受信する。複数の固有番号出力手段が同時に所定位置でトリガ信号を受けても、固有番号出力手段は異なる周波数で固有番号を出力するため信号が重なり合う確率が減少する。
【０００８】
その結果、非常に多くの競争者等が参加しても問題なく計時ができる計時装置を提供できる。
【０００９】
好ましくは、固有番号発信手段は固有番号を間欠的に複数回発信してもよい。そうすれば、信号の重なる確率をより減らすことができる。
【００１０】
さらに好ましくは、受信手段はさらに標準電波を受けて時刻情報を出力する手段を有し、固有番号出力手段から受信した識別番号とともに受信時の時刻情報を記録する。
【００１１】
標準電波に基づく時刻情報を識別番号とともに記録するため、参加者の正確なゴール時刻を記録できる。
【００１２】
この発明の他の局面においては、所定の位置を複数の移動体が通過する際に、個々の移動体が前記所定の位置を通過したことを検出する集団レースの計時用検出装置は、複数の移動体の各々が保持し、所定のトリガ信号に応答して、それぞれが異なる固有の識別番号を出力可能な固有番号出力手段と、所定の位置の近傍に設けられ、所定のトリガ信号を発信するトリガ信号発信手段と、トリガ信号に応答して固有番号出力手段の出力した識別番号を受信する受信手段とを含む。固有番号出力手段は識別番号の発信後、その発信を休止する。
【００１３】
所定のトリガ信号に応答して、それぞれが異なる固有の識別番号を出力可能な固有番号出力手段は、固有番号の発信後、その発信を休止するため、他の固有番号出力手段の出力信号と重ならない。
【００１４】
その結果、非常に多くの競争者等が参加しても問題なく計時ができる計時装置を提供できる。
【００１５】
好ましくは、固有番号出力手段の出力の休止は、トリガ信号を受けて所定時間後に自動的に行なわれる。なお、この場合、所定時間経過後等に自動的に再度固有番号を発信するようにしても良い。
【００１６】
さらに好ましくは、固有番号出力手段は受発信装置を有し、受信手段が固有番号出力手段からの固有番号を受けた時、それを再発信するようにし、固有番号出力手段は自分の固有番号を受けた時に休止してもよい。
【００１７】
この発明のさらに他の局面においては、計測装置は複数の参加者がスタート地点からスタートし、ゴールを通過するまでの時間を計測する集団レースの計測装置である。計測装置においては、複数の参加者の各々は、所定のトリガ信号に応答して、それぞれが異なる固有の識別番号を出力可能な固有番号タグを保持し、スタート地点に設けられ、固有番号タグを保持した参加者のスタート時にそのスタート時間を発信するスタート時間発信手段を含み、固有番号タグはスタート時間発信手段の発信したスタート時間を受信するとともに記憶し、ゴール地点の近傍に設けられ、所定のトリガ信号を発信するトリガ信号発信手段と、トリガ信号に応答して固有番号タグは、固有の識別番号とともに記憶したスタート時間を出力し、固有番号タグの出力した固有の識別番号およびスタート時間を受信する受信手段とを含む。
【００１８】
固有番号タグはスタート時にスタート時間を受信するとともに記憶し、ゴール地点で、トリガ信号に応答して固有の識別番号とともに記憶したスタート時間を出力し、その固有番号タグの出力した固有の識別番号およびスタート時間を受信する。
【００１９】
したがって、固有番号タグごとのスタート時間からゴール時間までの所要時間を計測できる。その結果、非常に多くの競争者等が参加しても問題なく計時ができる計時装置を提供できる。
【００２０】
好ましくは、スタート時間発信手段は標準電波を受けて時刻情報を出力する手段を有し、時刻情報をスタート時間として発信する。
【００２１】
この発明のさらに他の局面においては、複数の参加者がスタート地点からスタートし、ゴールを通過するまでの時間を計測する集団レースの計測方法は、送受信機能とメモリを有するタグを準備するステップと、スタート地点において所定のトリガ信号をタグで受信するステップと、受信したスタート時間をタグに記録するステップと、ゴール地点で、所定のトリガ信号を受信するステップと、ゴール地点における前記所定のトリガ信号に応答して、記憶したスタート時間とともに前記タグの有する固有番号を出力するステップと、ゴール地点において、タグの出力したスタート時間と固有番号とを受信するステップとを含む。
【００２２】
固有番号タグはスタート時にスタート時間を受信するとともに記憶し、ゴール地点で、トリガ信号に応答して固有の識別番号とともに記憶したスタート時間を出力し、その固有番号タグの出力した固有の識別番号およびスタート時間を受信する。
【００２３】
したがって、固有番号タグごとのスタート時間からゴール時間までの所要時間を計測できる。その結果、非常に多くの競争者等が参加しても問題なく計時ができる計時方法を提供できる。
【００２４】
【発明の実施の形態】
以下、この発明の実施の形態を図面を参照して説明する。
【００２５】
（１）第１の実施形態
図１は、走路を有するトラックのゴール地点の近傍に設けられる、この発明が適用される集団レースの計時用検出装置を示す図である。このゴールにおいて複数のランナーのような競技への参加者のゴール時間を検出する場合にこの発明を適用した例について説明する。
【００２６】
図１を参照して、走路２０２に所定のゴール２０１が設けられている。複数のランナーの各々はそれぞれ異なる番号のゼッケンを付けるとともに、ゼッケンに対応した固有の識別番号（ＩＤ信号）を出力するＩＤタグ４０を保持して走行している。検出装置１００は、ゴール２０１の近傍に設けられたメインコントロール部１０と、メインコントロール部１０に対してトラックの反対側に設けられたサブコントロール部２０とを含む。
【００２７】
トラックの走路２０２のゴールライン２０１を挟んでメインコントロール部１０とサブコントロール部２０とが対向して配置される。これらに挟まれた走路２０２をＩＤ信号（ＩＤタグの有する固有番号）を発信する発信器を組込んだＩＤタグ４０を装着した複数の選手がゴールする。
【００２８】
メインコントロール部１０は、ＩＤタグ４０に対してトリガ発信を行なうとともに、ＩＤタグ４０からのＩＤ信号を受信するメインコントローラ１１と、メインコントローラ１１に接続され、トリガ信号を発信するトリガ発信アンテナ１２と、ＩＤタグ４０からのＩＤ信号を受信するＩＤ受信アンテナ１３ａ，１３ｂと、メインコントローラ１１に接続され、メインコントロール部１０全体を制御する制御部３０とを含む。メインコントローラ１１と制御部３０とはＲＳ−２３２Ｃケーブル等を用いて接続されている。
【００２９】
制御部３０は、ＣＰＵ３１と、トリガ信号受信部３２と、トリガ信号受信部３２の受信した受信データを記憶するメモリ３６と、標準電波を受信してＣＰＵにシステムクロックを供給するシステムクロック供給部９０と、システムクロック供給部からの時計情報を受けて時刻を表示する時計表示部３８とを含む。トリガ信号受信部３２は、複数の異なる周波数の信号を受信可能なように、たとえば、３００ＭＨｚ受信部３３と、３０５ＭＨｚ受信部３４と、３１０ＭＨｚ受信部３５とを含む。このように複数の異なる周波数を同一の制御部３０で受信できる。
【００３０】
制御部３０は、検出した複数のＩＤ信号のそれぞれを標準電波に基づく時刻とともにメモリ３５に記憶する。また、制御部３０は、検出した複数のＩＤ信号のそれぞれ検出時刻を表示する表示部を有しても良い。
【００３１】
図２はシステムクロック供給部９０の構成を示す図である。図２を参照して、システムクロック供給部９０は、標準電波を受信するアンテナ９１と、アンテナ９１に接続され、標準電波を増幅する増幅器９２と、増幅器に接続され、所定の周波数を取り出すバンドパスフィルタ（ＢＰＦ）９３と、バンドパスフィルタ９３に接続された振幅制限器９４と、振幅制限器に接続され、標準電波から時計情報を取り出す時計情報出力部９５および標準電波からクロック周波数を取り出すクロック同期部９６とを含む。図１に示すように、時計情報出力部９５からの出力は時計表示部３８に送られて時刻が表示され、クロック同期部９６からのクロック同期信号はＣＰＵ３１に供給される。
【００３２】
図１に戻って、サブコントロール部２０は、トリガを発信するサブコントローラ２１と、サブコントローラ２１に接続され、トリガ信号を発信するトリガ発信アンテナ２２とを含む。なおこのトリガ発信アンテナ２２はメインコントロール部１０に設けられたトリガ発信アンテナ１２と同様のものである。
【００３３】
なお、走路２０２を挟んで対向して設けられるトリガ発信アンテナ１２、２２は相互に平行に設けられてもよいし、所定の角度をもって対向して設けられてもよいが、事前に最適の相互位置となるよう調整するのがこのましい。
【００３４】
図１に示すように、メインコントロール部１０およびサブコントロール部２０とはトラックの両サイドに設置できるため、トラック上に機材を設置または埋設する必要がない。
【００３５】
図３（Ａ）はＩＤタグ４０の構成を示すブロック図であり、図３（Ｂ）はＩＤタグ４０の外観を示す模式図である。図３（Ａ）を参照して、ＩＤタグ４０は受信用アンテナ４０ａとトリガ信号検知部４１と、電池４９と、スィッチ４２と固有番号としてのＩＤ番号を発生する、ＩＤ番号発生部４３とを含む。ＩＤ番号発生部４３はアドレス計数部４５とＩＤ番号記憶部４６と発振器４７と出力回路４８と、ＩＤ番号発生部４３全体を制御するＣＰＵ５０から構成される。
【００３６】
ＩＤタグ４０の発信周波数はトリガ信号受信部３２で受信できる複数の周波数、たとえば３００−３２２ＭＨｚのいずれかの周波数でＩＤ番号を出力する。
【００３７】
なお、ＩＤタグ４０を充電式とすれば、電池４９の交換の必要がなく経済的に構成できる。
【００３８】
受信用アンテナ４０ａはメインコントローラ１１およびサブコントローラ２１に設けられたトリガ発信アンテナ１２、２２からのトリガ信号を受信するようになっており、トリガ信号検知部４１は、受信用アンテナ４０ａで受信された信号がトリガ信号であると認識したときにスイッチ４２をＯＮするようになっている。このように、スイッチ４２がＯＮされると、ＩＤ番号発生部４３に電源が供給されてこのＩＤ番号発生部４３からそのＩＤタグ４０に対応するＩＤ番号が送信用アンテナ４４を介して出力される。このように出力されたＩＤ番号は発振器４７によって高周波信号に変換されて出力回路４８を介して送信用アンテナ４４から送信される。
【００３９】
ここでＩＤタグ４０に設けられた発振器４７からはＩＤ番号に対応する５桁の識別番号が間断なく発信し続けられ、この信号をＩＤ受信アンテナ１３ａ、１３ｂが受信する。
【００４０】
図３（Ｂ）を参照して、ＩＤタグ４０は、図中に示す２辺ａおよびｂが数１０ｍｍの矩形を有しており、その厚さｃは数ｍｍ程度である。ランナー等の選手が装着するＩＤタグ４０は非常に軽量で、競技中にも選手に違和感を与えない。
【００４１】
選手が集団でゴール地点を通過する場合のように、目視による確認が困難な場合でも、正確に各選手ごとにゴール時間を検出することができる。
【００４２】
図４はＩＤタグの変形例を示す図である。このＩＤタグ６０は、図３に示したＩＤタグ４０に対して発信機４７に接続され、その発信周波数を任意に設定できる周波数設定部４９を含む点が異なる。
【００４３】
周波数設定部４９はたとえばＰＬＬ（Ｐｈａｓｅ−Ｌｏｃｋｅｄ　Ｌｏｏｐ）ＩＣで構成することにより、周波数を所定の範囲内で自由に設定する。周波数帯は微弱電波（３ｍ離れて５００μＶ／ｍ以下）の３００ＭＨｚ〜３２２ＭＨｚ範囲内での分割が望ましい。これは、この範囲であれば１アンテナで全周波数の信号を検出できるためである。また、受信周波数は約０．５ＭＨｚごとに分割すれば検出が可能である。こうすれば、この範囲で約４０種類の周波数分割が可能になる。
【００４４】
すなわちこの発明の第１の実施の形態によれば、ＩＤタグの発信周波数および受信アンテナの受信周波数をＩＤタグ毎に何種類かに分けることで、受信数を向上することができる。なお、発信を複数回所定の間隔で行なうようにし、両者を併用してもよい。そうすれば、受信数はさらに飛躍的に向上することができる。
【００４５】
（２）第２の実施形態
次にこの発明の第２実施形態について説明する。図５は第２実施の形態を説明するための図であり図１に示したゴール地点２０１付近の拡大図である。
【００４６】
図５を参照して、この実施の形態においては、トリガ領域７０が示されている。
【００４７】
この実施の形態におけるゴール地点は第１実施の形態におけるゴール地点と同様の構成を有している。
【００４８】
一般に、トリガ発信アンテナ１２、２２からのトリガ電波が届く範囲であるトリガ領域７０内では、ＩＤタグ４０（または６０、以下同じ）が常時ＩＤ番号を送信した状態になっている。その領域内に滞留したＩＤタグ４０が多数存在すれば、送信がぶつかり合い、それぞれが打ち消し合い、結果的に送信不能となるＩＤタグ４０が発生し、計測できなくなることが起こり得る。
【００４９】
そこで、この実施の形態においては、ＩＤタグ４０に内蔵するＣＰＵ５０の制御により、ＩＤ番号の発信周期の時分割をコントロールする。たとえば、トリガがかかった状態でＩＤタグ４０が数秒間連続発信すれば、自動的に休止モードに制御する。そしてトリガ電波から逃れた状態（トリガ領域７０外）が数秒間続けば、休止モードを解除して、通常の送信モードにセットする。たとえば、トリガ領域７０内で５秒間以上滞留時、休止モードを設定する。トリガ領域７０外３秒経過すると通常モードに戻るように設定する。これによって、滞留しているＩＤタグ４０の存在を無視することができる。なお、図中にＩＤタグ４０の設定時間の一例を記載している。
【００５０】
この場合のフローチャートを図６に示す。図６はＩＤタグ４０のＣＰＵ５０が行なう制御内容を示すフローチャートである。図６を参照して、ＩＤタグ４０がトリガエリア７０内にあるか否かを判断する（ステップＳ１１、以下ステップを略す）このトリガエリア内にあるか否かの判断は具体的には、トリガ信号を受けているか否かで判断する。
【００５１】
トリガエリア内にあるときは（Ｓ１１でＹＥＳ）、ＣＰＵ５０の内蔵しているタイマをスタートさせる（Ｓ１２）。そしてトリガ信号に応答して内蔵しているＩＤ番号を送信する（Ｓ１３）。５秒間ＩＤ番号の送信を所定の間隔で繰返す（Ｓ１４）。５秒経過すると（Ｓ１４で（ＹＥＳ）、ＩＤ番号の送信を中止する（Ｓ１５）。そしてＩＤタグ４０がトリガ領域７０外にあるか否かを判断する（Ｓ１６）。トリガ領域７０内にあるときは（Ｓ１６でＮＯ）、ＩＤ送信の中止を続行する。一方、トリガエリア外であるときは（Ｓ１６でＹＥＳ）、通常モードに戻る（Ｓ１７）。ここで通常モードとは、通常のトリガ受信体制に入ることを意味する。そしてプログラムはＳ１１へ戻る）。
【００５２】
次に第２実施の形態の変形例について説明する。変形例においては、トリガ領域７０でＩＤタグ４０から発信される番号を受信アンテナ１３が受取った後、その番号をトリガ電波に載せトリガ発信アンテナ１２から再度発信させるという方法である。この場合は、ＩＤタグ４０が読取モードとしてトリガ電波で送られて来る番号と参照して合致すればそのＩＤタグ４０が休止状態になる。ここで通常モードに戻るのは、同じくトリガ電波から逃れたときとする。
【００５３】
この場合のＩＤタグ４０の構成も図３または図４と同様である。この場合、ＩＤ番号はトリガ検知部４１で受信する。この構成にすると、ＩＤタグ４０の内蔵電池の寿命を延ばすことにも効果的である。
【００５４】
（３）第３の実施の形態
次にこの発明の第３の実施形態について説明する。第３の実施形態はネットタイム計測に関する。近年マラソンなどのレースで、１万人規模の参加者は当たり前になりつつあるが、その一方で、ゴールタイムに関し非常に大きな問題となっていることがある。
【００５５】
これは、最前部と最後尾とでは、実際にスタート地点を離れるのには場合によっては１０分以上かかる場合がある。結局後ろの方に並ぶと最初から１０分以上のハンディを背負ってスタートしなければならず、平等なゴールタイムとはならない。
【００５６】
そこで、最近ではネットタイムを採用してはどうかという検討がなされている。しかしながら、現在の自動計測装置では、スタートラインで一挙にＩＤ番号を送信するため、その送信数がスタート幅１０ｍ、長さ２ｍの領域で最大１２０人（６人／ｍ２）と考えられ、周波数分割、時分割しても受信漏れが発生する可能性が高い。
【００５７】
そこで、トリガ電波にタイムを載せて送信することにより、スタート時にはＩＤタグにタイムを書込み、ゴール時にはＩＤ番号とスタートタイムを送信することにより、ネットタイムの計測が可能になる。
【００５８】
図７は第３実施の形態におけるスタート地点とゴール地点を表す模式図である。この実施の形態におけるゴール地点は第１実施の形態または第２実施の形態におけるゴール地点と同様の構成を有している。すなわちスタート地点に第１または第２実施の形態と同様のトリガ領域８０を設ける。スタート地点は基本的に第１実施の形態におけるゴール地点と同様の構成の装置を有しているが、ゴール地点の構成と異なり、ＩＤタグ４０からのＩＤ信号を受信するＩＤ受信アンテナ１３ａ，１３ｂは設けられていない。また、第１実施の形態と同様に、メインコントロール部１０を構成する制御部３０はシステムクロック供給部９０を含む。
【００５９】
また、ゴール地点においても第１実施の形態または第２実施の形態と同様のトリガ領域８５を設け、第１実施の形態または第２実施の形態におけるゴール地点と同様の構成の装置（メインコントロール部１０とサブコントロール部２０とからなる検出装置１００）を有している。
【００６０】
なお、ここでタイムは標準電波から得られたタイムである。スタート時点の時刻として標準電波のデータを取り込むために、この実施の形態におけるスタート地点に設けられるサブコントロール部２０はメインコントロール部１０と同様にシステムクロック供給部を含む（図示無し）。
【００６１】
この実施の形態のＩＤタグ４０の構成も図２または図４と同様である。この場合、ＩＤタグ４０はスタート地点で受信した時間をデータとして内蔵メモリに書込む。一方、ゴール地点でＩＤタグ４０は書込まれた時間とＩＤ番号を発信する。発信したデータをＩＤ受信アンテナ１３が取込む。
【００６２】
ゴール地点に設けられた装置の制御部３０はＩＤタグ４０から受信したＩＤ信号を各ＩＤ信号毎に個別に検出し、そのＩＤ番号と時間データをメモリ３５に記憶する。
【００６３】
図８はＩＤタグ４０のＣＰＵ５０が処理する処理内容を示すフローチャートである。
【００６４】
図８を参照して、ＩＤタグ４０は、まずスタート地点においてタイム付きトリガ受信を受ける（Ｓ２１）。タイム付きトリガ信号を受信したときは（Ｓ２１でＹＥＳ）、そのタイムを図示の無いメモリに記録する（Ｓ２２）。ユーザはこのＩＤタグ４０を保持した状態で走行を行ない、ゴールに到達する。そこで上記第１または第２実施の形態で述べたように通常のトリガ信号、すなわちゴールトリガ信号を受信する（Ｓ２３）。ゴールトリガ受信信号を受信したときは（Ｓ２３でＹＥＳ）、スタート時にメモリに記録したスタートタイムをＩＤ番号と共に送信する（Ｓ２４）。
【００６５】
これにより、ＩＤタグ４０はスタート時からゴール時までの時間をＩＤ番号と共に送信することが可能になる。
【００６６】
図９は受信側制御部３０のＣＰＵ３１が処理する内容を説明するフローチャートである。
【００６７】
図９参照して、ＣＰＵ３１は、ゴール地点においてゴールトリガ信号に応答してＩＤタグ４０から発信されたスタート時のタイムとＩＤ番号とを受信する（Ｓ３１）。スタートタイムとＩＤ番号とを受信したときは（Ｓ３１でＹＥＳ）、その受信時のタイムからスタートタイムを減算してその競技者の所要時間を算出する（Ｓ３２）。ＩＤ番号毎の所要時間を所定のメモリ３５に記憶する（Ｓ３３）。なお、このタイムは上記したように標準電波からの得られたデータである。
【００６８】
こうすることによって、ＩＤタグ４０毎の正味の所要時間を確実に検出できる。
【００６９】
上記実施の形態においてゴール地点におけるトリガ受信領域７０、８５に幅があるが、この距離は実際はごく短く（たとえば２〜３ｍ）、計測上問題になることは無い。
【００７０】
なお、ゴール時間を厳密に記録する場合の実施の形態について図１０を参照して説明する。図１０はこの場合の実施の形態を示す模式図である。
【００７１】
図１０は図１、図５または図７に示したゴール（またはスタート）の詳細を示す図１に対応する図である。図１０を参照して、この場合のトリガ受信領域にはゴールライン２０１近傍に平面的に、四角形状に配列されたトリガ発信アンテナ５１およびトリガ発信アンテナ５１に囲まれるように配置された受信アンテナ５２が配置される。これらアンテナ５１および５２はカバー７５（トリガ受信領域に対応する）に覆われており、ランナーはそのカバー７５上を走行する。ＩＤタグ４０はトリガ信号を受けてＩＤ番号を発信し、それを受信アンテナ５２で受けてデータ受信機５３で受信し、データ処理装置５４でデータ処理および記録等を行なう。データ受信機は、制御部１０と同様にシステムクロック供給部を有する。
【００７２】
この場合、ＩＤタグ４０は位置４０ｂでゴール測定ゾーンに入り、ＩＤ番号の発信をスタートする（図９に示すように、たとえば３時５分１０秒２６とする：この時刻をｂとする）。ついで、位置４０ｃでゴール測定ゾーンを通過し、ＩＤ番号の発信を停止する（たとえば３時５分１０秒３４とする：この時刻をｃとする）。これらの時刻の平均値からゴール時刻を決定する（（ｂ＋ｃ）／２で平均値を求め、上記の例であれば、３時５分１０秒３０と決定する）。この場合、ゴールの計測ライン２０３は位置４０ｂと位置４０ｃとの中間地点となる。
【００７３】
なお、データ受信機５３およびデータ処理装置５４の機能はデータ処理装置等が上記の信号の送受信および演算を行なう点を除いて、基本的に図１で説明した検出装置１００と同じである。
【００７４】
また、この実施の形態におけるゴール地点のトリガ発信アンテナや受信アンテナの配置（平面配置）を第１〜第３の実施の形態におけるゴール地点等に用いてもよい。
【００７５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００７６】
そのような範囲の例としては、たとえば、次のようなものが挙げられる。
【００７７】
（１）　請求項４に記載の計時用検出装置であって、
前記固有番号出力手段は前記トリガ信号を受けて、所定時間後に前記固有番号の出力を休止する。
【００７８】
（２）　前記固有番号出力手段は前記休止後、さらに前記固有番号の発信を再開する再発信手段を含む、上記（１）の計時用検出装置。
【００７９】
（３）　前記所定時間は調整できる、上記（１）の計時用検出装置。
【００８０】
（４）　前記トリガ信号発信手段は所定の範囲内のみに前記トリガ信号を発信し、前記固有番号出力手段は自分が前記所定範囲内にあるか否かを判別する手段を含み、
前記判別手段が自分が前記所定範囲内に無いと判断したとき、前記再発信手段は前記固有番号の発信を再開する、上記（２）に記載の計時用検出装置。
【００８１】
（５）　請求項４に記載の計時用検出装置であって、
前記受信手段は受信した前記固有番号出力手段の出力した識別番号を発信する受信識別番号発信手段を含み、
前記固有番号出力手段は、前記識別番号受信手段が前記受信識別番号発信手段の出力した自己の固有番号を受信したとき、固有番号の出力を休止する。
【００８２】
（６）　前記トリガ信号発信手段は所定の範囲内のみに前記トリガ信号を発信し、前記固有番号出力手段は自分が前記所定範囲内にあるか否かを判別する手段を含み、
前記判別手段が自分が前記所定範囲内に無いと判断したとき、前記再発信手段は前記固有番号の発信を再開する、上記（５）に記載の計時用検出装置。
【００８３】
（７）　請求項５に記載の集団レースの計測装置であって、
前記固有番号タグは書き込みモードを含む複数のモードで作動が可能であり、前記固有番号タグが前記書き込みモードに設定されているときに前記スタート時間発信手段の発信した前記スタート時間を記憶する。
【００８４】
なお、上記実施の形態において、ＩＤタグ４０または６０が固有番号出力手段や固有番号タグの一例であり、メインコントローラ１１、トリガ発信アンテナ１２、および／またはサブコントローラ２１とトリガ発信アンテナ２２がトリガ信号発信手段の一例であり、ＩＤ受信アンテナ１３、メインコントローラ１１、制御部３０が受信手段の一例であり、メインコントローラ１０およびサブコントローラ２０から受信アンテナ１３を除いたものがスタート時間発信手段の一例である。
【図面の簡単な説明】
【図１】この発明の第１実施の形態にかかる計時用検出装置の構成を示す図である。
【図２】システムクロック供給部の構成を示すブロック図である。
【図３】ＩＤタグの構成を示すブロック図である。
【図４】ＩＤタグの構成を示すブロック図である。
【図５】第２実施の形態におけるゴール地点を示す模式図である。
【図６】第２実施の形態におけるＩＤタグの動作内容を示すフローチャートである。
【図７】第３実施の形態におけるスタート地点およびゴール地点を示す模式図である。
【図８】第３実施の形態におけるＩＤタグの動作を示すフローチャートである。
【図９】第３実施の形態における制御部の動作を示すフローチャートである。
【図１０】さらに他の実施の形態におけるゴール付近の模式図である。
【符号の説明】
１０　メインコントロール部、１１　メインコントローラ、１２　トリガ発信アンテナ、１３　ＩＤ受信アンテナ、２０　サブコントロール部、２１　サブコントローラ、２２　トリガ発信アンテナ、３０　制御部、４０、６０　ＩＤタグ、９０　システムクロック供給部。
【図１】
2004057805.tif 000003
【図２】
2004057805.tif 000004
【図３】
2004057805.tif 000005
【図４】
2004057805.tif 000006
【図５】
2004057805.tif 000007
【図６】
2004057805.tif 000008
【図７】
2004057805.tif 000009
【図８】
2004057805.tif 000010
【図９】
2004057805.tif 000011
【図１０】
2004057805.tif 000012